(57)【要約】【課題】燃料漏れを防止できる排気管内燃料直接噴射システムを提供する。【解決手段】エンジン１０に排気アダプタ５０を介して排気管１１を接続し、前記排気アダプタ５０に設けた燃料噴射弁５２により排気管１１内に燃料を直接噴射する排気管内燃料噴射システム５であって、前記排気アダプタ５０の下端部に前記排気管１１の先端フランジ部５３を接続するための下部フランジ部５４を設けると共に、これら先端フランジ部５３及び下部フランジ部５４のフランジ面５３ａ，５４ａに燃料がかからないように遮蔽する筒状の遮蔽部５５を前記排気管１１内に突出した状態に設けている。【選択図】図１
2011256852.tif 000002
【特許請求の範囲】
【請求項１】
エンジンに排気アダプタを介して排気管を接続し、前記排気アダプタに設けた燃料噴射弁により排気管内に燃料を直接噴射する排気管内燃料噴射システムであって、
前記排気アダプタの下端部に前記排気管の先端フランジ部を接続するための下部フランジ部を設けると共に、これら先端フランジ部及び下部フランジ部のフランジ面に燃料がかからないように遮蔽する筒状の遮蔽部を前記排気管内に突出した状態に設けたことを特徴とする排気管内燃料噴射システム。
【請求項２】
前記排気管の径方向に該排気管と前記遮蔽部との間に燃料を滲み込ませないための所定の隙間を設けたことを特徴とする請求項１記載の排気管内燃料噴射システム。
【請求項３】
前記排気アダプタの下部フランジ部と前記排気管の先端フランジ部との間にモリブデンコートが施されたガスケットを介設したことを特徴とする請求項１又は２に記載の排気管内燃料噴射システム。
【発明の詳細な説明】
【技術分野】
【０００１】
本発明は、排気ガス中のＰＭ（Particulate Matter）を捕集するＤＰＦ（Diesel Particulate Filter）の再生を行うために排気アダプタに設けた燃料噴射弁により排気管内に燃料を直接噴射する排気管内燃料噴射システムに関する。
【背景技術】
【０００２】
エンジンから排出されるＰＭをＤＰＦと呼ばれるフィルタで捕集して、外部へ排出されるＰＭの量を低減する排気ガス浄化システムとして、ＤＰＦと、ＤＰＦの上流側に設けられたＤＯＣ（Diesel Oxidation Catalyst）とからなる連続再生型ＤＰＦ装置が知られている（例えば、特許文献１参照）。
【０００３】
この連続再生型ＤＰＦ装置では、排気ガス温度が約３５０℃以上の時には、ＤＰＦに捕集されたＰＭは連続的に燃焼して浄化され、ＤＰＦが自己再生されるが、排気ガス温度が低い場合には、ＤＯＣの温度が低下して活性化しないため、ＰＭを酸化してＤＰＦを自己再生することが困難となる。その結果、ＰＭがＤＰＦに堆積してＤＰＦの目詰まりが進行し、排圧上昇の問題が生じる。
【０００４】
ＰＭ堆積量は、ＤＰＦ前後の排気の差圧を計測する差圧センサの出力値に比例するため、差圧センサの出力値が所定の差圧を超えたときに、ＥＣＵ（Engine Control Unit）がフィルタの目詰まりを検出し、ＤＰＦ再生を開始する。
【０００５】
排気ガス浄化システムでは、シリンダ（筒）内において燃料のマルチ噴射（多段遅延噴射）やポスト噴射（後噴射）を行うことにより、ＤＰＦに流入する排気ガスの温度を強制的に上昇させて、ＤＰＦに捕集したＰＭを燃焼除去するＤＰＦ再生が行われている。マルチ噴射は、エンジンから排出される排気ガスの温度を昇温し、ＤＯＣを触媒活性温度まで昇温させるために行われる。ポスト噴射は、多量の未燃燃料を排気ガス中に供給し、供給した未燃燃料をＤＯＣにて酸化（燃焼）させることで、ＤＰＦ入口における排気ガス温度をＰＭが燃焼する温度以上に上昇させるために行われる。
【０００６】
ＤＰＦ再生が開始されると、ＥＣＵが燃料噴射や排気スロットル、排気ブレーキバルブを制御し、排気ガス温度を上昇させ、ＤＰＦに堆積したＰＭが燃焼される。このＤＰＦ再生においては、ポスト噴射を行うことにより、エンジンオイルに微量ながら燃料が混入するため、所謂ダイリューションと呼ばれる現象が発生する。このダイリューションにより、エンジンオイルの希釈が進むとエンジンの故障を招く虞がある。
【０００７】
一方、前記ポスト噴射によるダイリューションの発生を防止し、再生制御効率を向上させるために、排気管に設けた燃料噴射弁により排気管内に燃料を直接噴射するようにした排気管内燃料噴射システムも提案されている。この排気管内燃料噴射システムにおいては、エンジンに設けられるターボチャージャの排気アダプタに燃料噴射弁を設けることがエンジンの組み立て上、好ましい。
【先行技術文献】
【特許文献】
【０００８】
【特許文献１】特開２００７−１６７１３号公報
【発明の概要】
【発明が解決しようとする課題】
【０００９】
しかしながら、前記排気管内燃料噴射システムにおいては、排気アダプタの下端部に排気管の先端部を接続する構造上、前記燃料噴射弁より噴射された燃料が排気アダプタと排気管の接続部分にかかり、この接続部分から燃料漏れを発生することが懸念される。
【００１０】
本発明は、上記の問題を解決するためになされたものであり、その目的は、排気アダプタと排気管の接続部分からの燃料漏れを防止することができる排気管内燃料噴射システムを提供することにある。
【課題を解決するための手段】
【００１１】
前記目的を達成するために、本発明は、エンジンに排気アダプタを介して排気管を接続し、前記排気アダプタに設けた燃料噴射弁により排気管内に燃料を直接噴射する排気管内燃料噴射システムであって、前記排気アダプタの下端部に前記排気管の先端フランジ部を接続するための下部フランジ部を設けると共に、これら先端フランジ部及び下部フランジ部のフランジ面に燃料がかからないように遮蔽する筒状の遮蔽部を前記排気管内に突出した状態に設けたことを特徴とする。
【００１２】
前記排気管の径方向に該排気管と前記遮蔽部との間に燃料を滲み込ませないための所定の隙間を設けていることが好ましい。
【００１３】
前記排気アダプタの下部フランジ部と前記排気管の先端フランジ部との間にモリブデンコートが施されたガスケットを介設していることが好ましい。
【発明の効果】
【００１４】
本発明によれば、排気アダプタと排気管の接続部分からの燃料漏れを防止することができる。
【図面の簡単な説明】
【００１５】
【図１】本願発明の実施形態に係る排気管内燃料噴射システムを備えた排気ガス浄化システムを示す図である。
【図２】排気管内燃料噴射システムにおけるエンジン回りの構成を概略的に示す斜視図である。
【図３】排気アダプタの一例を示す図で、（ａ）は側面図、（ｂ）は正面図である。
【図４】排気アダプタと排気管の接続部の構造を示す断面図である。
【発明を実施するための形態】
【００１６】
以下に、本発明を実施するための形態を添付図面に基いて詳述する。
【００１７】
先ず、図１を参照して本実施の形態に係る排気管内燃料噴射システムを備えた排気ガス浄化システム１について説明する。この排気ガス浄化システム１は、ディーゼルエンジン（以下、単にエンジンともいう。）１０の排気管１１に排気ガス浄化装置の一つである連続再生型ＤＰＦ（或いはＤＰＤ：Diesel Particulate Defuserともいう）装置１２を備えている。この連続再生型ＤＰＦ装置１２は、排気ガス中のＰＭを捕集するＤＰＦ１２ｂと、このＤＰＦ１２ｂの上流側に設けられたＤＯＣ１２ａとを備えている。前記ＤＰＦ１２ｂは、ＣＳＦ（Catalyzed Soot Filter)からなる。連続再生型ＤＰＦ装置１２の下流の排気管１１には、サイレンサ１３が配置されている。排気ガスＧは、連続再生型ＤＰＦ装置１２により浄化されて、浄化された排気ガスＧｃとしてサイレンサ１３を経由して大気中に放出される。
【００１８】
前記ＤＯＣ１２ａは、多孔質のセラミックのハニカム構造等の担持体に、白金等の酸化触媒を担持させて形成される。ＤＰＦ１２ｂは、多孔質のセラミックのハニカムのチャンネルの入口と出口を交互に目封じしたモノリスハニカム型ウオールフロータイプのフィルタ等で形成されている。このフィルタの部分に白金や酸化セリウム等の触媒を担持している。排気ガスＧ中のＰＭ（粒子状物質）は、多孔質のセラミックの壁で捕集（トラップ）される。
【００１９】
そして、前記ＤＰＦ１２ｂ上のＰＭの堆積量を推定するために、ＤＰＦ１２ｂの前後に接続された導通管にはＤＰＦ１２ｂ前後の差圧を検出する差圧センサ３１が設けられている。また、連続再生型ＤＰＦ装置１２の下流側の排気管１１には、排気絞り手段としての排気スロットル弁１４が設けられ、連続再生型ＤＰＦ装置１２の上流側の排気管１１には、排気ブレーキ２０が設けられている。
【００２０】
連続再生型ＤＰＦ装置１２内のＤＯＣ１２ａの上流側には、ＤＯＣ１２ａに流入する排気ガスの温度を検出するＤＯＣ入口排気温度センサ３２が設けられ、ＤＯＣ１２ａとＤＰＦ１２ｂとの間には、ＤＰＦ１２ｂに流入する排気ガスの温度を検出するＤＰＦ入口排気温度センサ３３が設けられている。
【００２１】
エンジン１０の吸気管１５には、吸気口からエンジン１０側にかけて、エアクリーナ１６、ＭＡＦセンサ（吸入空気量センサ）１７、ターボチャージャ３６のコンプレッサ３６ｂ、吸気スロットル弁（インテークスロットル）１８が設けられている。吸気スロットル弁１８は、吸気マニホールド３７への吸気量を調整するためのものである。排気マニホールド３８から排出された排気ガスは、ターボチャージャ３６のタービン３６ａ、排気ブレーキ２０を通って、連続再生型ＤＰＦ装置１２に流入するようになっている。ターボチャージャ３６は、エンジン１０に搭載されており、そのタービン３６ａの出口側に排気通路５１を形成する後述の排気アダプタ５０の下端部に排気管１１の先端部が接続されていると共に、排気アダプタ５０に排気管１１内に燃料を直接噴射するための燃料噴射弁５２が設けられている。
【００２２】
また、吸気マニホールド３７と排気マニホールド３８には、エンジン１０から排出される排気ガスの一部を吸気マニホールド３７に戻すためのＥＧＲ管１９が接続され、このＥＧＲ管１９には、吸気マニホールド３７に戻す排気ガスを冷却するＥＧＲクーラ３９と、吸気マニホールド３７に戻す排気ガス量であるＥＧＲ量を調整するＥＧＲ弁２１とが設けられている。
【００２３】
ＭＡＦセンサ１７、ＤＯＣ入口排気温度センサ３２、ＤＰＦ入口排気温度センサ３３、車速センサ３４、エンジン回転数センサ３５からの信号は、エンジン１０の全般的な制御を行うと共に、ＤＰＦ再生制御も行う制御装置であるＥＣＵ（電子制御ユニット）４０に入力され、このＥＣＵ４０からの制御信号により、排気スロットル弁１４、排気ブレーキ２０、吸気スロットル弁１８、ＥＧＲ弁２１、燃料噴射装置２２、燃料噴射弁５２等が制御されるようになっている。
【００２４】
排気ガス浄化システム１は、総ポスト量算出部と、蓄積ダイリューション量演算部と、再生インターバル測定部と、強制再生部とを備えており、これらはＥＣＵ４０に搭載されている。
【００２５】
総ポスト量算出部は、１回のＤＰＦ再生に要した総ポスト量を算出するようになっている。蓄積ダイリューション量演算部は、ＤＰＦ再生毎のダイリューション量を積算すると共に、走行によって減少するダイリューション量を減算して、蓄積ダイリューション量を演算するようになっている。再生インターバル測定部は、ＤＰＦ再生終了から次のＤＰＦ再生開始までの再生インターバルを測定するようになっている。強制再生部は、ＤＰＦ１２ｂのＰＭ堆積量が所定量を超えたとき、蓄積ダイリューション量が所定の閾値未満であり、かつ再生インターバルが所定の閾値以上であるという条件（以下、自動再生条件という）を満たせば、車両の走行中に自動でＤＰＦ再生する自動再生を行うようになっている。また、強制再生部は、自動再生中には、自動再生ランプ（緑色）２４を点灯するようになっている。
【００２６】
また、強制再生部は、ＤＰＦ１２ｂのＰＭ堆積量が所定量を超えたとき、自動再生条件を満たさなければ、車両の停車中に手動でＤＰＦ再生する手動再生を行うようドライバーに促し、車両の停車中にドライバーの操作により手動再生を行うようになっている。強制再生部は、ＤＰＦ１２ｂのＰＭ堆積量が所定量を超え、かつ自動再生条件が満たされないときには、手動再生ランプ（橙色）２３を点滅させることで、ドライバーに手動再生を促す（警告する）ようになっている。また、強制再生部は、手動再生中には、手動再生ランプ（橙色）２３を点灯させ、手動再生中であることを表示するようになっている。さらに、強制再生部は、ドライバーが停車中に手動再生ボタン（ＤＰＦ手動再生実行スイッチ）２５を押すことにより、手動再生を実行するようになっている。
【００２７】
ここで、ＰＭ堆積量は、差圧センサ３１で検出したＤＰＦ１２ｂ前後の差圧、或いは車速センサ３４で検出した車速を基に演算した走行距離に基づいて検出される。つまり、強制再生部は、ＤＰＦ１２ｂ前後の差圧が所定の閾値を超えたとき、あるいは、走行距離が所定の閾値を超えたときに、ＤＰＦ１２ｂのＰＭ堆積量が所定量を超えたと判断する。
【００２８】
ＤＰＦ再生では、ＤＯＣ入口排気温度センサ３２、あるいはＤＰＦ入口排気温度センサ３３で検出される排気ガス温度が第１判定値（ＤＯＣの活性温度、例えば２５０℃）より低い時には、燃料のマルチ噴射とポスト噴射又は排気管内噴射を行って、エンジン１０から排出される排気ガスの温度を上昇させ、ＤＯＣ入口排気温度センサ３２あるいはＤＰＦ入口排気温度センサ３３で検出される排気ガス温度が第１判定値以上になったときに、ポスト噴射又は排気管内噴射を行うＰＭ燃焼除去制御を実施し、ＤＰＦ１２ｂの強制再生を行う。ＰＭ燃焼除去制御では、必要に応じてマルチ噴射とポスト噴射又は排気管内噴射を組み合わせる。なお、手動再生においては、排気ガス温度が第１判定値以上となるまで排気ブレーキ２０を閉じ、排気ガス温度を急速に上昇させるようになっている。また、手動再生においては、ＰＭ燃焼除去制御時に排気スロットル弁１４を閉じて排気絞りを行い、排気ガス温度を上昇させるようになっている。
【００２９】
ＤＰＦ再生を行うために前記ターボチャージャ３６の排気アダプタ５０に燃料噴射弁５２を設けて排気管１１内に燃料を直接噴射するようにした排気管内燃料噴射システムにおいては、前記排気アダプタ５０の下端部に前記排気管１１の先端部が接続されるため、その接続部分に燃料噴射弁５２からの噴射燃料がかかり、接続部分から燃料が滲み出して燃料漏れを生じる虞がある。そこで、この問題を解消するために、図２〜図４に示すように、前記排気アダプタ５０の下端部には前記排気管１１の先端フランジ部５３を接続するための下部フランジ部５４が設けられていると共に、これら先端フランジ部５３及び下部フランジ部５４のフランジ面５３ａ，５４ａに燃料がかからないように遮蔽する筒状の遮蔽部５５が前記排気管１１内に突出した状態に設けられている。この遮蔽部５５は、排気アダプタ５０内の排気通路５１の内壁を下方に突出ないし延出させることにより排気アダプタ５０の下端部に一体形成されている。
【００３０】
前記遮蔽部５５の外径ｄは例えば７０ｍｍとされ、遮蔽部５５の突出長さｈは例えば１６．５ｍｍとされる。前記排気管１１の径方向には前記遮蔽部５５と前記排気管１１との間に毛細管現象で燃料を滲み込ませないための所定の隙間ｓが設けられている。この隙間ｓは、例えば２．７ｍｍとされる。また、前記排気アダプタ５０の下部フランジ部５４と前記排気管１１の先端フランジ部５３との間には、耐熱性及び滑り易い性質を有するモリブデンコートを施したガスケット５６が介設されている。
【００３１】
前記排気アダプタ５０の下部フランジ部５４には複数のスタッドボルト５７が植え込まれ、これらスタットボルト５７にナット５８をねじ込むことにより下部フランジ部５４に対して排気管１１の先端フランジ部５３が接続されている。
【００３２】
一方、前記排気アダプタ５０には、その排気通路５１に対して燃料が排気ガスに混合され易いように燃料を斜め下方に向かって噴射するために、燃料噴射弁５２が排気管１１の軸心（軸心線）ｃから所定の角度αで伸びて取付けられている。排気アダプタ５０の上側部には、ターボチャージャ３６のタービン３６ａに接続される上部フランジ部５９が設けられている。また、排気アダプタ５０の上下中間部には前記燃料噴射弁５２を取付けるための燃料噴射弁取付け部６０が設けられ、この燃料噴射弁取付け部６０には燃料噴射弁５２の先端部を挿入するための挿入孔６１が設けられている。
【００３３】
前記挿入孔６１に挿入された燃料噴射弁５２の先端部５２ａの噴霧孔６２が高温の排気ガスに晒されることにより排気ガス中の燃料成分が噴霧孔６２に付着堆積することを防止するために、前記燃料噴射弁５２の先端部５２ａが前記排気アダプタ５０内の排気ガス流に接しないように排気アダプタ５０内の排気通路５１の内壁部から径方向外方に離間させて配置されている。具体的には前記排気アダプタ５０の排気通路５１の内壁部には、排気通路５１から前記挿入孔６１の先端部に向かって漸次縮径した円錐状の凹部６３が設けられていると共に、燃料噴射弁５２の先端部５２ａが更に挿入孔６１の先端部と前記凹部６３とが交わる境界から遠ざけて（後退させて）設けられている。
【００３４】
また、前記燃料噴射弁取付け部６０には、燃料噴射弁５２の先端部５２ａの周りを冷却するための冷却水通路６４が設けられ、この冷却水通路６４には図示しない冷却水配管６５を介してエンジンの冷却水が循環されるようになっている。
【００３５】
以上の構成からなる排気管内燃料噴射システム５によれば、エンジン１０に排気アダプタ５０を介して排気管１１を接続し、前記排気アダプタ５０に設けた燃料噴射弁５２により排気管１１内に燃料を直接噴射する排気管内燃料噴射システム５であって、前記排気アダプタ５０の下端部に前記排気管１１の先端フランジ部５３を接続するための下部フランジ部５４を設けると共に、これら先端フランジ部５３及び下部フランジ部５４のフランジ面５３ａ，５４ａに燃料がかからないように遮蔽する筒状の遮蔽部５５を前記排気管１１内に突出した状態に設けているため、フランジ面５３ａ，５４ａに燃料がかかることがなく、排気アダプタ５０と排気管１１の接続部分からの燃料漏れを防止することができる。
【００３６】
また、前記排気管１１の径方向に該前記排気管１１と前記遮蔽部５５との間に燃料を滲み込ませないための所定の隙間ｓを設けているため、燃料漏れを更に防止することができる。
【００３７】
更に、前記排気アダプタ５０の下部フランジ部５４と前記排気管１１の先端フランジ部５３との間にモリブデンコートが施されたガスケット５６を介設しているため、モリブデンコートの耐熱性及び滑りやすい性質により対向する先端フランジ部５３と下部フランジ部５４のフランジ面５３ａ，５４ａ間の振動による滑りを許容しつつシール性を確保することができる。
【００３８】
また、排気管内直接噴射ではポスト噴射と異なりダイリューションを起こさないため、排気ガス浄化システムにおいてダイリューション量の加算をしないことにすることにより手動再生要求頻度が減り、ユーザの利便性が向上する。
【符号の説明】
【００３９】
５  排気管内燃料噴射システム
１０  ディーゼルエンジン
１１  排気管
１２  連続再生型ＤＰＦ装置
１２ａ  ＤＯＣ
１２ｂ  ＤＰＦ
３６  ターボチャージャ
５０  排気アダプタ
５２  燃料噴射弁
５３  先端フランジ部
５４  下部フランジ部
５３ａ，５４ａ  フランジ面
５５  遮蔽部
５６  ガスケット
ｓ  所定の隙間
【図１】
2011256852.tif 000003
【図２】
2011256852.tif 000004
【図３】
2011256852.tif 000005
【図４】
2011256852.tif 000006